【手続補正書】
【提出日】平成17年7月26日(2005.7.26)
【手続補正１】
【補正対象書類名】明細書
【補正対象項目名】特許請求の範囲
【補正方法】変更
【補正の内容】
【特許請求の範囲】
【請求項１】
制御手段を有してなるコンソールに接続されており、前記コンソールと公衆回線に有線接続された通信装置との間で通信を行うアダプタ装置において、
前記コンソールとの間で情報の送受信を行うインターフェースと、
前記コンソールから受信した情報を所定の形式の信号に変換するとともに、この信号を前記通信装置に無線により送信する送信手段、及び前記通信装置から無線により所定の形式の信号を受信して、この信号が表す情報を前記コンソールに送信する受信手段の少なくとも一方と、を備えている、
アダプタ装置。
【請求項２】
前記送信手段は、前記コンソールから受信した情報を表すアナログ信号を生成するとともに、このアナログ信号を所定のプロトコルで前記通信装置に送信するようになっている、
請求項１記載のアダプタ装置。
【請求項３】
前記送信手段は、複数種類のプロトコルにより前記所定の形式の信号を送信することが可能であり、前記通信装置に応じたプロトコルにより送信するようになっている、
請求項１記載のアダプタ装置。
【請求項４】
前記受信手段は、前記通信装置から受信した前記所定の形式の信号を解読して、解読結果を前記インタフェースを介して前記コンソールに送信するようになっている、
請求項１記載のアダプタ装置。
【請求項５】
前記受信手段は、複数種類のプロトコルにより信号を受信することが可能であり、前記通信装置からの前記所定の形式の信号を、当該通信装置に応じたプロトコルで受信するようになっている、
請求項１記載のアダプタ装置。
【請求項６】
前記コンソールに略一体の形態をなすように装着可能な形状に構成されている、
請求項１記載のアダプタ装置。
【請求項７】
制御手段を有してなるコンソールと、公衆回線に接続される通信装置と、前記コンソール及び前記通信装置の間で信号を送受信するアダプタ装置と、を備えており、
前記アダプタ装置は、
前記コンソールとの間で情報の送受信を行うインターフェースと、
前記コンソールから受信した情報を所定の形式の信号に変換するとともに、この信号を前記通信装置に無線により送信する送信手段、及び前記通信装置から無線により所定の形式の信号を受信して、この信号が表す情報を前記コンソールに送信する受信手段の少なくとも一方と、を備えている、
ネットワークシステム。
【請求項８】
前記通信装置は、コードレス電話機の親機である、
請求項７記載のネットワークシステム。
【請求項９】
前記通信装置は、前記アダプタ装置との間で無線によりアナログ信号を送受信するとともに前記公衆回線により情報を送受信するための装置であり、前記アダプタ装置との間で所定のプロトコルによりアナログ信号を送受信するように構成されている、
請求項７記載のネットワークシステム。
【請求項１０】
制御手段を有してなるコンソールと、公衆回線に接続される通信装置と、前記コンソール及び前記通信装置の間で信号を送受信するアダプタ装置と、を備えるシステムにより実行される方法であって、
前記アダプタ装置が、
前記コンソールから情報を受信して、この情報を所定の形式の信号に変換する段階と、
所定の形式に変換した前記信号を前記通信装置に無線により送信する段階と、
前記通信装置から無線により所定の形式の信号を受信する段階と、
受信した前記信号が表す情報を前記コンソールに送信する段階と、を含む、
通信方法。
【手続補正２】
【補正対象書類名】明細書
【補正対象項目名】００１２
【補正方法】変更
【補正の内容】
【００１２】
【課題を解決するための手段】
上述の課題を解決する本発明に係るアダプタ装置は、制御手段を有してなるコンソールに接続されており、前記コンソールと公衆回線に有線接続された通信装置との間で通信を行う。このアダプタ装置は、前記コンソールとの間で情報の送受信を行うインターフェースと、前記コンソールから受信した情報を所定の形式の信号に変換するとともに、この信号を前記通信装置に無線により送信する送信手段、及び前記通信装置から無線により所定の形式の信号を受信して、この信号が表す情報を前記コンソールに送信する受信手段の少なくとも一方と、を備えている。
【手続補正３】
【補正対象書類名】明細書
【補正対象項目名】００１３
【補正方法】変更
【補正の内容】
【００１３】
このような構成を有するアダプタ装置は、前記送信手段が、例えば前記コンソールから受信した情報を表すアナログ信号を生成するとともに、このアナログ信号を所定のプロトコルで前記通信装置に送信するようになっている。また前記送信手段を、複数種類のプロトコルにより前記所定の形式の信号を送信することが可能であるように構成してもよい。この場合送信手段は、前記通信装置に応じたプロトコルにより信号を送信する。
【手続補正４】
【補正対象書類名】明細書
【補正対象項目名】００１４
【補正方法】変更
【補正の内容】
【００１４】
前記受信手段は、例えば前記通信装置から受信した前記所定の形式の信号を解読して、解読結果を前記インタフェースを介して前記コンソールに送信するようになっている。また前記受信手段は、例えば複数種類のプロトコルにより信号を受信することが可能であるように構成してもよい。この場合受信手段は、前記通信装置からの前記所定の形式の信号を、当該通信装置に応じたプロトコルで受信する。
アダプタ装置は、前記コンソールに略一体の形態をなすように装着可能な形状に構成されていてもよい。
【手続補正５】
【補正対象書類名】明細書
【補正対象項目名】００１５
【補正方法】変更
【補正の内容】
【００１５】
本発明のネットワークシステムは、制御手段を有してなるコンソールと、公衆回線に接続される通信装置と、前記コンソール及び前記通信装置の間で信号を送受信するアダプタ装置と、を備えている。前記アダプタ装置は、前記コンソールとの間で情報の送受信を行うインターフェースと、前記コンソールから受信した情報を所定の形式の信号に変換するとともに、この信号を前記通信装置に無線により送信する送信手段、及び前記通信装置から無線により所定の形式の信号を受信して、この信号が表す情報を前記コンソールに送信する受信手段の少なくとも一方と、を備えている。
【手続補正６】
【補正対象書類名】明細書
【補正対象項目名】００１６
【補正方法】変更
【補正の内容】
【００１６】
このようなネットワークシステムでは、前記通信装置として、例えばコードレス電話機の親機を用いることができる。或いは前記通信装置が、例えば前記アダプタ装置との間で無線によりアナログ信号を送受信するとともに前記公衆回線により情報を送受信するための装置であり、前記アダプタ装置との間で所定のプロトコルによりアナログ信号を送受信するように構成されていてもよい。
【手続補正７】
【補正対象書類名】明細書
【補正対象項目名】００１７
【補正方法】変更
【補正の内容】
【００１７】
本発明の通信方法は、制御手段を有してなるコンソールと、公衆回線に接続される通信装置と、前記コンソール及び前記通信装置の間で信号を送受信するアダプタ装置と、を備えるシステムにより実行される方法である。この通信方法は、前記アダプタ装置が、前記コンソールから情報を受信して、この情報を所定の形式の信号に変換する段階と、所定の形式に変換した前記信号を前記通信装置に無線により送信する段階と、前記通信装置から無線により所定の形式の信号を受信する段階と、受信した前記信号が表す情報を前記コンソールに送信する段階と、を含む。
【手続補正８】
【補正対象書類名】明細書
【補正対象項目名】００２１
【補正方法】変更
【補正の内容】
【００２１】
この親機２は、ＮＣＵ１２、送信回路１３、アンテナ１４、受信回路１５、マイクロコンピュータ１６、ＲＯＭ１７を備えている。ここで親機２において、送信回路１３、受信回路１５、及びアンテナ１４は送受信手段を構成している。
【手続補正９】
【補正対象書類名】明細書
【補正対象項目名】００３１
【補正方法】変更
【補正の内容】
【００３１】
ここで、親機２は、従来より提供されている家庭用アナログコードレス電話の親機又は同等なものとして構成されているものである。そして、マイクロコンピュータ１６とＲＯＭ１７のみがディジタルの制御を行う回路として構成され、その他はアナログ回路とされて構成されている。
【手続補正１０】
【補正対象書類名】明細書
【補正対象項目名】００４０
【補正方法】変更
【補正の内容】
【００４０】
上記ＣＰＵ２７は、子機２１を構成する各部を制御する機能を有している。このＣＰＵ２７は、例えば、上述したように、操作部２２による入力操作に応じて、表示部２５等の各部の制御を行う。
【手続補正１１】
【補正対象書類名】明細書
【補正対象項目名】００６８
【補正方法】変更
【補正の内容】
【００６８】
このステップＳ３において、回線がビジーであることを確認した場合には、親機２は、ステップＳ３１に進み、回線のビジーに対応する処理を行う。一方、ステップＳ３において回線が使用可能であることを確認した場合には、親機２は、ステップＳ４に進み、空きチャンネルサーチを行う。ここで、空きチャンネルサーチとは、アナログコードレス電話装置システムにおいて割り振られた周波数帯から空きチャンネルをサーチする処理である。
【手続補正１２】
【補正対象書類名】明細書
【補正対象項目名】００８６
【補正方法】変更
【補正の内容】
【００８６】
なお、アダプタ装置４は、その形状をコンソール３に適用して構成することができる。例えば、上記図４に示したエンタテインメントシステムに適用する場合には、図７に示すように、例えば、その背面に当該エンタテインメントシステムの本体５２と略一体の形態をなすように装着可能として構成することもできる。このように、本体５２の背面にアダプタ装置４を装着することにより、ユーザは、アダプタ装置４が本体５２に装着されていることを気にかけることがなくなり、これによりユーザは、コンソール３が、あたかも自身のみによって親機２を介して情報を公衆電話回線１１に送信していると感じることになる。
【手続補正１３】
【補正対象書類名】明細書
【補正対象項目名】００８８
【補正方法】変更
【補正の内容】
【００８８】
これにより、アダプタ装置は、送信信号処理手段により信号処理して得たアナログ信号からなるコンソールからの情報を、第１の電話装置に送信することができ、第１の電話装置では、受信したアナログ信号に基づいて得たコンソールの情報を公衆電話回線に出力することができる。よって、アダプタ装置は、一般的に普及されている既存のアナログ通信システムを利用することが可能になり、通信システムの利用を高めることを可能にする。
【手続補正１４】
【補正対象書類名】明細書
【補正対象項目名】００９０
【補正方法】変更
【補正の内容】
【００９０】
また、本発明に係るネットワークシステムは、公衆電話回線に有線接続されるとともに、第２の電話装置との間で送受信手段によりアナログ信号とされた情報を無線で送受信する第１の電話装置と、制御手段を有してなるコンソールと、コンソールと電気的に接続する接続手段と接続手段を介して入力されたコンソールからの情報を信号処理する送信信号処理手段と送信信号処理手段で生成されたアナログ信号を発信する送信部とを備えてなるアダプタ手段とを備えている。
【手続補正１５】
【補正対象書類名】明細書
【補正対象項目名】００９１
【補正方法】変更
【補正の内容】
【００９１】
これにより、ネットワークシステムは、アダプタ手段の送信信号処理手段により信号処理して得たアナログ信号からなるコンソールからの情報を、当該アダプタ手段から第１の電話装置に送信することができ、第１の電話装置では、受信したアナログ信号に基づいて得たコンソールの情報を公衆電話回線に出力することができる。よって、ネットワークシステムは、一般的に普及されている既存のアナログ通信システムを利用することが可能になり、通信システムの利用を高めることを可能にする。
【手続補正１６】
【補正対象書類名】明細書
【補正対象項目名】００９４
【補正方法】変更
【補正の内容】
【００９４】
これにより、アダプタ装置は、送信手段において送信信号処理手段により信号処理して得たアナログ信号からなるコンソールからの情報を、当該送信手段から受信手段に送信することができ、受信手段では、受信したアナログ信号に基づいて得たコンソールの情報を公衆電話回線に出力することができる。